【事件の表示】
　特許第３２２０２２８号に関する訂正審判事件について、次のとおり審決する。
【結　論】
　特許第３２２０２２８号に係る明細書及び図面を本件審判請求書に添付された訂正明細書及び図面のとおり訂正することを認める。
【理　由】
１．本件審判請求の要旨は、特許第３２２０２２８号の明細書を本件審判請求書に添付された訂正明細書のとおり、すなわち下記（１）〜（３）のとおり訂正することを求めるというものである。
（１）特許請求の範囲の請求項１について
「【請求項１】複数種の図柄を可変表示可能な複数の図柄表示部と、開状態と閉状態とに変換可能な普通変動入賞装置を有するとともに該普通変動入賞装置により受け入れられた遊技球が入賞可能な特別入賞口を有する権利発生装置と、を備え、前記各図柄表示部に停止表示された図柄の組合せ態様が予め定められた複数種の当りの組合せ態様のうちの何れか１つであった場合に、普通変動入賞装置を開状態に変換し、該普通変動入賞装置に受け入れられた遊技球が前記特別入賞口に入賞した場合に、特別権利状態が発生して、該特別遊技状態中における始動口への遊技球の入賞に基づき特別変動入賞装置が開状態に変換可能となるパチンコ遊技機において、前記複数の図柄表示部において停止表示された当りの組合せ態様の種類を識別可能な図柄を表示可能な当り図柄表示手段と、所定の特別遊技状態の終了後、複数の図柄表示部において当りの組合せ態様の表示確率を低確率から高確率に変更することにより次の特別権利状態の発生を容易にすることが可能な確率変動制御手段と、を備え、前記当り図柄表示手段は、前記確率変動制御手段が前記当りの組合せ態様の表示確率を高確率に変更したことにより発生した特別権利状態中においても、低確率にて複数の図柄表示部に停止表示された最初の当りの組合せ態様の種類を識別可能な図柄を表示するようにしたことを特徴とするパチンコ遊技機。」とあるのを、
「【請求項１】複数種の図柄を可変表示可能な複数の図柄表示部と、開状態と閉状態とに変換可能な普通変動入賞装置を有するとともに該普通変動入賞装置により受け入れられた遊技球が入賞可能な特別入賞口を有する権利発生装置と、を備え、前記各図柄表示部に停止表示された図柄の組合せ態様が予め定められた複数種の当りの組合せ態様のうちの何れか１つであった場合に、普通変動入賞装置を開状態に変換し、該普通変動入賞装置に受け入れられた遊技球が前記特別入賞口に入賞した場合に、特別権利状態が発生して、該特別権利状態中における始動口への遊技球の入賞に基づき特別変動入賞装置が開状態に変換可能となるパチンコ遊技機において、前記複数の図柄表示部において停止表示された当りの組合せ態様の種類を識別可能な図柄を表示可能な当り図柄表示手段と、所定の特別権利状態の終了後、複数の図柄表示部において当りの組合せ態様の表示確率を低確率から高確率に変更することにより次の特別権利状態の発生を容易にすることが可能な確率変動制御手段と、を備え、前記当り図柄表示手段は、前記確率変動制御手段が前記当りの組合せ態様の表示確率を高確率に変更したことにより発生した特別権利状態中においても、低確率にて複数の図柄表示部に停止表示された最初の当りの組合せ態様の種類を識別可能な図柄を表示するようにしたことを特徴とするパチンコ遊技機。」と訂正する。
（２）段落【０００１】記載の「該特別遊技状態」を「該特別権利状態」と訂正する。
（３）段落【０００５】記載の
「【課題を解決するための手段】
　上記課題を解決するため、本発明は、複数種の図柄を可変表示可能な複数の図柄表示部と、開状態と閉状態とに変換可能な普通変動入賞装置を有するとともに該普通変動入賞装置により受け入れられた遊技球が入賞可能な特別入賞口を有する権利発生装置と、を備え、前記各図柄表示部に停止表示された図柄の組合せ態様が予め定められた複数種の当りの組合せ態様のうちの何れか１つであった場合に、普通変動入賞装置を開状態に変換し、該普通変動入賞装置に受け入れられた遊技球が前記特別入賞口に入賞した場合に、特別権利状態が発生して、該特別遊技状態中における始動口への遊技球の入賞に基づき特別変動入賞装置が開状態に変換可能となるパチンコ遊技機において、前記複数の図柄表示部において停止表示された当りの組合せ態様の種類を識別可能な図柄を表示可能な当り図柄表示手段と、所定の特別遊技状態の終了後、複数の図柄表示部において当りの組合せ態様の表示確率を低確率から高確率に変更することにより次の特別権利状態の発生を容易にすることが可能な確率変動制御手段と、を備え、前記当り図柄表示手段は、前記確率変動制御手段が前記当りの組合せ態様の表示確率を高確率に変更したことにより発生した特別権利状態中においても、低確率にて複数の図柄表示部に停止表示された最初の当りの組合せ態様の種類を識別可能な図柄を表示するようにしたことを特徴とするものである。」を、
「【課題を解決するための手段】
　上記課題を解決するため、本発明は、複数種の図柄を可変表示可能な複数の図柄表示部と、開状態と閉状態とに変換可能な普通変動入賞装置を有するとともに該普通変動入賞装置により受け入れられた遊技球が入賞可能な特別入賞口を有する権利発生装置と、を備え、前記各図柄表示部に停止表示された図柄の組合せ態様が予め定められた複数種の当りの組合せ態様のうちの何れか１つであった場合に、普通変動入賞装置を開状態に変換し、該普通変動入賞装置に受け入れられた遊技球が前記特別入賞口に入賞した場合に、特別権利状態が発生して、該特別権利状態中における始動口への遊技球の入賞に基づき特別変動入賞装置が開状態に変換可能となるパチンコ遊技機において、前記複数の図柄表示部において停止表示された当りの組合せ態様の種類を識別可能な図柄を表示可能な当り図柄表示手段と、所定の特別権利状態の終了後、複数の図柄表示部において当りの組合せ態様の表示確率を低確率から高確率に変更することにより次の特別権利状態の発生を容易にすることが可能な確率変動制御手段と、を備え、前記当り図柄表示手段は、前記確率変動制御手段が前記当りの組合せ態様の表示確率を高確率に変更したことにより発生した特別権利状態中においても、低確率にて複数の図柄表示部に停止表示された最初の当りの組合せ態様の種類を識別可能な図柄を表示するようにしたことを特徴とするものである。」と訂正する。
２．前記訂正事項について検討すると、
　訂正事項（１）は、
ａ．「該特別遊技状態」とされていたものを「該特別権利状態」に、
ｂ．「所定の特別遊技状態」とされていたものを「所定の特別権利状態」に、
それぞれ訂正するものである。
　上記ａ．は「該・・・」と記載されており、この「該」はその直前に記載される「特別権利状態」を受けることは明らかであるので、「該特別遊技状態」は「該特別権利状態」の誤記と云うべきである。　
　また、上記ｂ．は特許請求の範囲における「所定の・・・終了後、・・・次の特別権利状態の発生を容易」の記載からみても、上記「所定の」の後に続く用語は「特別権利状態」とすることが自然であり、しかも特許明細書の段落【０００６】及び段落【０１２９】の記載、即ち「特別権利状態の終了後、・・・次の特別権利状態の発生を容易」との記載からも裏付けられるので、「所定の特別遊技状態」は「所定の特別権利状態」の誤記と云うべきである。。
　よって、上記訂正事項（１）は誤記の訂正を目的とするものと認められる。
　そして、訂正事項（２）、（３）の訂正は訂正事項（１）との整合性を図ったものであるので、不明瞭な記載の釈明を目的とするものと認められる。
　また、上記訂正事項（１）〜（３）は、願書に添付した明細書又は図面に記載した事項の範囲内であり、実質的に特許請求の範囲を拡張又は変更するものではない。
３．したがって、本件審判請求は、平成６年法改正前の特許法（平成５年改正法）第１２６条第１項ただし書き第２、３号及び第２項の規定に適合する。
　よって、結論のとおり審決する。